(57)【特許請求の範囲】
【請求項１】
光ディスクの回転空間を形成する装置本体と、前記光ディスクをディスク中心孔に係合した状態で回転駆動するターンテーブルを備え、前記光ディスクを前記装置本体内のディスク駆動位置と前記装置本体外のディスク着脱位置との間で搬送するディスクトレイと、前記該ディスクトレイの左右の末端部近傍にそれぞれ末端部が支持され、ディスクトレイ搬入時に該搬入動作に連動して先端部がディスクトレイに接近する方向に正転揺動し、またディスクトレイ搬出時には該搬出動作に連動して先端部がディスクトレイから離間する方向に逆転揺動する左右一対の揺動アームと、該一対の揺動アームにそれぞれ設けられ、前記正転揺動動作に連動して正転回動し、前記ディスクトレイ上に載置された光ディスクを左右から下方に押圧してディスク中心孔を前記ターンテーブルに係合させ、また前記逆転揺動動作に連動して逆転回動し、前記ディスクトレイ上に載置された光ディスクを左右から上方に押圧してディスク中心孔を前記ターンテーブルから離脱させる一対のフラップとを具備することを特徴とする光ディスク装置。
【請求項２】
前記フラップは、前記揺動アーム上に軸方向に移動可能に配設されており、前記ディスクトレイが前記光ディスクをディスク駆動位置へと搬入する途中で前記装置本体に係止され、前記ディスクトレイとともに搬入される前記揺動アーム上を相対的に移動し、前記光ディスクの上面から離脱することを特徴とする請求項１記載の光ディスク装置。
【請求項３】
前記フラップは、前記光ディスクを下方に押圧してディスク中心孔を前記ターンテーブルに係合させる係合案内板と、前記光ディスクを上方に押圧してディスク中心孔を前記ターンテーブルから離脱させる離脱案内板とを具備することを特徴とする請求項１記載の光ディスク装置。
【発明の詳細な説明】
【０００１】
【発明の属する技術分野】
本発明は、ディスクトレイ上のターンテーブルへの光ディスクの着脱がディスクトレイの搬送動作に連動して確実かつ容易に行えるようにした光ディスク装置に関する。
【０００２】
【従来の技術】
光ディスク装置は、光ディスクや光磁気ディスクといった光情報記録媒体（以下、光ディスクと呼ぶ）に信号を記録或いは再生するための装置である。図５に示す従来の光ディスク装置１は、光ディスク２の回転駆動空間を形成する薄型箱状の装置本体３に、光ディスク搬送用のディスクトレイ４を搬入・搬出自在に組み付けて構成したものである。本例に示した光ディスク装置１は、携帯型パーソナルコンピュータ等への組み込みを想定し、光ディスク２を装置本体３内のディスク駆動位置と装置本体３外のディスク着脱位置との間で搬送するディスクトレイ４の出し入れ操作を、全て手動操作で行う構成を採用しており、ローディングモータ等の動力源を廃止することで装置本体３の薄型化が図られている。
【０００３】
上記光ディスク装置１は、装置本体３の薄型化をさらに徹底するため、光ディスク２を載置して回転駆動するためのターンテーブル５や、光ディスク２の信号記録面を走査して信号を記録又は再生する光学ヘッド６等を、ディスクトレイ４に組み付けてある。ターンテーブル５には、図６に示すボールディテント機構７が備わっており、３箇所に穿設された放射状の係合溝８内にそれぞれ係合させたボール９をばね１０が外周側に付勢している。従って、ターンテーブル５上に光ディスク２を装着する場合は、このボールディテント機構７の各ボール９がディスク中心孔２ａの内周壁に圧接するよう、光ディスク２を位置合わせする必要がある。すなわち、光ディスク２のディスク中心孔２ａをボールディテント機構７に上から宛てがって押圧すると、ボール９がばね１０に抗して内周側に若干変位し、そのときのばね１０の弾発力によって光ディスク２はクランプされる。
【０００４】
【発明が解決しようとする課題】
上記従来の光ディスク装置１は、装置本体３に光ディスク２を装着する場合、まず装置本体３内のディスク駆動位置にあるディスクトレイ４をディスク着脱位置まで引き出し、光ディスク２の信号記録面を下にしてターンテーブル５のボールディテント機構７にディスク中心孔２ａを係合させなければならず、これら一連の作業は全て手作業で行うため、光ディスク２の信号記録面を傷つけないよう慎重に行わねばならない。しかしながら、光ディスク２をターンテーブル５に装着する作業は、例えば光ディスク２の外周縁部を親指と中指で挟持し、ディスク中心孔２ａをターンテーブル５のボールディテント機構７に正確に合致させる必要があり、視覚的な勘を交えた微妙な位置合わせが要求されるため、例えばディスク中心孔２ａに近いディスク内周側部分がボールディテント機構７のボール９に不用に接触してしまい、信号記録面を傷つけてしまうことがある等の課題を抱えるものであった。さらにまた、信号の再生或いは記録を終えた後で光ディスク２をディスク装置本体３から取り出す場合も、ディスク着脱位置までディスクトレイ４を引き出した後、親指と中指で光ディスク２の外周縁部を挟持し、人指し指でディスク中心孔２ａの周辺部を押さえながら光ディスク２を引き上げねばならない。しかしながら、光ディスク２はディスクトレイ４に殆ど隙間なく密着載置されているため、ディスク外周縁部を親指と中指で挟んで光ディスク２を持ち上げるのも容易ではなく、ディスク装着時と同様、多少乱雑に扱うと光ディスク２の信号記録面を傷つけてしまうことがある等の課題を抱えるものであった。
【０００５】
本発明は、上記課題を解決したものであり、ディスクトレイ上のターンテーブルへの光ディスクの着脱がディスクトレイの搬送動作に連動して確実かつ容易に行えるようにすることを目的とするものである。
【０００６】
【課題を解決するための手段】
上記目的を達成するため、本発明は、光ディスクの回転空間を形成する装置本体と、前記光ディスクをディスク中心孔に係合した状態で回転駆動するターンテーブルを備え、前記光ディスクを前記装置本体内のディスク駆動位置と前記装置本体外のディスク着脱位置との間で搬送するディスクトレイと、前記該ディスクトレイの左右の末端部近傍にそれぞれ末端部が支持され、ディスクトレイ搬入時に該搬入動作に連動して先端部がディスクトレイに接近する方向に正転揺動し、またディスクトレイ搬出時には該搬出動作に連動して先端部がディスクトレイから離間する方向に逆転揺動する左右一対の揺動アームと、該一対の揺動アームにそれぞれ設けられ、前記正転揺動動作に連動して正転回動し、前記ディスクトレイ上に載置された光ディスクを左右から下方に押圧してディスク中心孔を前記ターンテーブルに係合させ、また前記逆転揺動動作に連動して逆転回動し、前記ディスクトレイ上に載置された光ディスクを左右から上方に押圧してディスク中心孔を前記ターンテーブルから離脱させる一対のフラップとを具備することを特徴とするものである。
【０００７】
また、本発明は、前記フラップが、前記揺動アーム上に軸方向に移動可能に配設されており、前記ディスクトレイが前記光ディスクをディスク駆動位置へと搬入する途中で前記装置本体に係止され、前記ディスクトレイとともに搬入される前記揺動アーム上を相対的に移動し、前記光ディスクの上面から離脱することを特徴とするものであり、或いはまた前記フラップが、前記光ディスクを下方に押圧してディスク中心孔を前記ターンテーブルに係合させる係合案内板と、前記光ディスクを上方に押圧してディスク中心孔を前記ターンテーブルから離脱させる離脱案内板とを具備することを特徴とするものである。
【０００８】
【発明の実施の形態】
以下、本発明の実施形態を図１ないし図４を参照して説明する。図１は、本発明の光ディスク装置の一実施形態を示す概略斜視図、図２は、図１に示したディスクトレイをディスク駆動位置近傍において示す側面図、図３（Ａ）〜（Ｄ）は、それぞれ図１に示した光ディスク装置のディスク搬入動作を説明するための概略側面図、図４（Ａ）〜（Ｃ）は、それぞれ図１に示した光ディスク装置のディスク搬入動作を説明するための概略平面図である。
【０００９】
図１に示す光ディスク装置１１は、携帯型パーソナルコンピュータ等への組み込みを想定し、光ディスク１２の回転空間を形成する装置本体１３を可能な限り薄型に構成したものである。すなわち、従来の光ディスク装置１と同様、光ディスク１２をディスク駆動位置とディスク着脱位置との間で搬送するディスクトレイ１４に、光ディスク１２を載置して回転駆動するためのターンテーブル１５や、光ディスク１２の信号記録面を走査して信号を記録又は再生する光学ヘッド１６が組み付けてある。
【００１０】
ところで、ディスクトレイ１４の左右の末端部近傍には、図２に示したように、傘歯車１４ａが軸支固定してあり、この傘歯車１４ａに噛合する傘歯車１７ａを末端部近傍に同軸嵌着した揺動アーム１７が、ディスクトレイ１４の左右に配設してある。各揺動アーム１７は、ディスクトレイ１４の左右の末端部に固定した軸受１８にそれぞれ末端部が支持されており、軸受１８内部の揺動アーム１７の外周に嵌装した捩りばね１９が、揺動アーム１７をディスクトレイ１４から揺動離間させる方向に付勢している。このため、これら左右一対の揺動アーム１７は、ディスクトレイ搬入時に装置本体１３前面に開口するトレイ入出用開口部１３ａの開口上縁に当接案内されつつ、捩りばね１９に抗して先端部がディスクトレイ１４に接近する方向に正転揺動する。一方また、ディスクトレイ搬出時にも揺動アーム１７はトレイ入出用開口部１３ａの開口上縁に当接案内されるが、ディスクトレイ搬出時とは逆に捩りばね１９のばね力により先端部がディスクトレイ１４から離間する方向に逆転揺動する。また、揺動アーム１７が揺動するときは、傘歯車１７ａが傘歯車１４ａに対する噛合位置を変えるため、揺動アーム１７の揺動角度に応じて揺動アーム１７自体が軸線周りに回動する。本実施形態の場合、揺動アーム１７の回動角度は最大で９０度以上に設定してある。
【００１１】
さらに、上記左右一対の揺動アーム１７には、それぞれフラップ２０が軸方向に移動可能に組み付けてあり、これらのフラップ２０が揺動アーム１７の正転揺動時には正転回動し、逆転揺動時には逆転回動するようになっている。より詳しくは、フラップ２０は、一斜辺が四分円をなす大略台形状の係合案内板２０ａとディスク位置決め用円弧溝２０ｃの付いた矩形状の離脱案内板２０ｂを一体成形したものであり、係合案内板２０ａが正転回動時に光ディスク１２を下方に押圧してディスク中心孔１２ａをターンテーブル１５に係合させるのに対し、離脱案内板２０ｂは逆転回動時に光ディスク１２を上方に押圧してディスク中心孔１２ａをターンテーブル１５から離脱させる働きをする。
【００１２】
また、これらのフラップ２０は、揺動アーム１７の中央部と先端部を結ぶ区間を移動可能とされており、揺動アーム１７上での位置が一義的に決定されるよう、図２に示したように、コイルばね２１でもって揺動アーム１７の中央部側に付勢してある。また、ディスクトレイ１４が光ディスク１２を駆動位置へと搬入する途中でフラップ２０の端部を係止するストッパ突起１３ｂが、装置本体１３の内部所定箇所に設けてある。トレイ入出用開口部１３ａからストッパ突起１３ｂの係止端面までの奥行き寸法は、フラップ２０の軸方向長さよりも僅かに大きな値に設定してある。このため、フラップ２０は、ディスクトレイ１４の搬入後しばらくするとストッパ突起１３ｂにより係止され、その後はディスクトレイ１４とともに搬入される揺動アーム１７上をコイルばね２１を圧縮しつつ相対的に移動し、最後は光ディスク１２の上面から完全に離脱する。
【００１３】
ここで、装置本体１３の前面にあるイジェクト釦を押すと、ディスクトレイ１４に対するロックが解除され、ロック解除と同時にばね力によりディスクトレイ１４は僅かに装置本体１３の手前側へと前進する。そこでディスク駆動位置から僅かに前方に突出したディスクトレイ１４の先端部を把持して前方へ引き出すと、ディスクトレイ１４は装置本体１３内から搬出される。このとき、ディスクトレイ１４の搬出動作に合わせ、揺動アーム１７は上方に逆転揺動し、同時にまたフラップ２０が揺動アーム１７とともに逆転回動する。その結果、ディスクトレイ１４がディスク着脱位置まで搬出された時点では、図３（Ａ）或いは図４（Ａ）に示したように、フラップ２０の係合案内板２０ａが垂直に起立し、離脱案内板２０ｂが水平に横臥した姿勢をとる。
【００１４】
かくして、左右の係合案内板２０ａの間に光ディスク１２の載置空間が形成され、光ディスク１２の装着を受け入れる態勢が整う。従って、オペレータはこの載置空間内に光ディスク１２を落とし込み、光ディスク１２を仮装着する。すなわち、左右の係合案内板２０ａの間の載置空間に光ディスク１２を持ち込み、光ディスク１２の外周縁部を左右の離脱案内板２０ｂのディスク位置決め用円弧溝２０ｃに係合させる。これにより、ディスクトレイ１４の左右に斜め上方に向かって延びる揺動アーム１７上に光ディスク１２が仮装着される。
【００１５】
光ディスク１２を仮装着した後、ディスクトレイ１４を装置本体１３内のディスク駆動位置に向けて押し込むと、ディスクトレイ１４は末端部側から装置本体１３内へと搬入される。このとき、それまで上方の揺動限界位置まで揺動していた揺動アーム１７は、図３（Ｂ）に示したように、下方に正転揺動する。揺動アーム１７が下方に正転揺動すると、左右の係合案内板２０ａが閉じる方向に正転回動し、図３（Ｃ）或いは図４（Ｂ）に示したように、光ディスク１２を上方からディスクトレイ１４上に押圧する。その結果、光ディスク１２はディスク中心孔１２ａがターンテーブル１５のボールディテント機構に係合し、仮装着状態からクランプ状態へと至る。
【００１６】
かくして、光ディスク１２はターンテーブル１５上にクランプされて装置本体１３内へと搬入されることになるが、ディスクトレイ１４が光ディスク１２をディスク駆動位置へと搬入する過程で、フラップ２０は装置本体１３内部のストッパ突起１３ｂに係止される。このため、フラップ２０はディスク搬入途中から装置本体１３内部に係止されたままとなり、ディスクトレイ１４とともに搬入される揺動アーム１７上を相対的に移動して光ディスク１２の上面から離脱する。従って、ディスクトレイ１４がディスク駆動位置へ搬入され終わった時点では、図３（Ｄ）或いは図４（Ｃ）に示したように、光ディスク１２はフラップ２０に邪魔されずに回転できる状態となる。
【００１７】
光ディスク１２への信号記録或いは信号再生が終わり、装置本体１３外に光ディスク１２を取り出すためイジェクト釦（図示せず）を押すと、ディスクトレイ１４に対するロックが解除され、ロック解除と同時にばね力によりディスクトレイ１４は僅かに装置本体１３の手前側へと前進する。そこでディスク駆動位置から僅かに前方に突出したディスクトレイ１４の先端部を把持して前方へ引き出すと、ディスクトレイ１４は装置本体１３内から搬出される。このとき、フラップ２０は、ディスクトレイ１４が光ディスク１２を駆動位置から所定距離だけ搬出するまでは、コイルばね２１のばね力により揺動アーム１７上を相対的に移動し、光ディスク１２の中央部分に重なるまで搬出が行われた後、逆転揺動する揺動アーム１７とともに装置本体１３外に搬出される。
【００１８】
一方また、フラップ２０は、搬出途中から揺動アーム１７の逆転揺動に合わせ、逆転回動する。すなわち、揺動アーム１７の上方への逆転揺動とともにフラップ２０が逆転回動する。この場合、係合案内板２０ａは光ディスク１２の上方に逆転回動して退避し、離脱案内板２０ｂが逆転回動とともにディスクトレイ１４上の光ディスク１２を下方から上方に押圧する。その結果、それまでディスク中心孔１２ａがターンテーブル１５のボールディテント機構に係合していた光ディスク１２は、離脱案内板２０ｂにより左右から押し上げられ、ボールディテント機構から離脱する。かくして、光ディスク１２は自動的にディスクトレイ１４上に若干浮き上がった姿勢で搬出される。このため、搬出後には光ディスク１２の外周縁部を指先で楽に挟み、ディスクトレイ１４上から簡単に取り出すことができる。
【００１９】
このように、上記光ディスク装置１１によれば、ディスクトレイ１４の左右の末端部近傍にそれぞれ支持した一対の揺動アーム１７に設けたフラップ２０が、ディスクトレイ１４の搬送動作に連動して正転回動或いは逆転回動し、ディスクトレイ１４の搬入時にはディスクトレイ１４上の光ディスク１２をターンテーブル１５に係合し、またディスクトレイ１４の搬出時にはディスクトレイ１４上の光ディスク１２をターンテーブル１５から離脱させることができる。従って、ターンテーブル１５に対する光ディスク１２の着脱が全てディスクトレイ１４の搬送動作に連動して行われ、装置本体１３への光ディスク１２の装着が非常に簡単であり、信号記録面を傷つけることなく安心して光ディスク１２を装着することができる。
【００２０】
また、ディスクトレイ１４の搬入時にディスクトレイ１４上の光ディスク１２を上方から押圧して一旦は光ディスク１２をターンテーブル１５に係合させたフラップ２０が、ディスクトレイ１４により光ディスク１２を装置本体１３内のディスク駆動位置まで搬入する過程で光ディスク１２の上面から離脱するため、装置本体１３内での光ディスク１２の回転がフラップ２０によって阻害されることはなく、また光ディスク１２の上面からのフラップ２０の離脱は、ディスクトレイ１４の搬入過程でフラップ２０を装置本体１３内部のストッパ突起１３ｂに係止させて行うので、特別なフラップ移動機構を設ける必要はなく、装置全体の構成を簡単化することができる。
【００２１】
さらにまた、フラップ２０として、係合案内板２０ａと離脱案内板２０ｂを互いにほぼ直交させて一体成形したものを用いたので、係合案内板２０ａと離脱案内板２０ｂを光ディスク１２とターンテーブル１５との係合或いは離脱に選択的に適用でき、装置全体の構成を簡単化することができる。
【００２２】
【発明の効果】
以上説明したように、本発明によれば、ターンテーブルを有するディスクトレイの左右の末端部近傍に左右一対の揺動アームの末端部を支持し、ディスクトレイ搬入時に該搬入動作に連動して先端部がディスクトレイに接近する方向に正転揺動し、またディスクトレイ搬出時には該搬出動作に連動して先端部がディスクトレイから離間する方向に逆転揺動するとともに、これら一対の揺動アームにそれぞれフラップを設け、これらのフラップを前記正転揺動動作に連動して正転回動し、ディスクトレイ上に載置された光ディスクを左右から下方に押圧してディスク中心孔をターンテーブルに係合させ、また前記逆転揺動動作に連動して逆転回動し、ディスクトレイ上に載置された光ディスクを左右から上方に押圧してディスク中心孔をターンテーブルから離脱させる構成としたから、ディスクトレイの左右の末端部近傍にそれぞれ支持した一対の揺動アームに設けたフラップが、ディスクトレイの搬送動作に連動して正転回動或いは逆転回動し、ディスクトレイの搬入時にはディスクトレイ上の光ディスクのディスク中心孔をターンテーブルに係合し、またディスクトレイ搬出時にはディスクトレイ上の光ディスクのディスク中心孔をターンテーブルから離脱させることができ、ディスクトレイのターンテーブルに対する光ディスクの着脱が全てディスクトレイの搬送動作に連動して行われるので、装置本体への光ディスクの装着が非常に簡単であり、信号記録面を傷つけることなく安心して光ディスクを装着することができる等の優れた効果を奏する。
【００２３】
また、本発明は、前記フラップが、揺動アーム上に軸方向に移動可能に配設されており、ディスクトレイが光ディスクをディスク駆動位置へと搬入する途中で装置本体に係止され、ディスクトレイとともに搬入される揺動アーム上を相対的に移動し、光ディスクの上面から離脱する構成としたから、ディスクトレイ搬入時にディスクトレイ上の光ディスクを上方から押圧して一旦はディスク中心孔をターンテーブルに係合させたフラップが、ディスクトレイにより光ディスクを装置本体内の駆動位置まで搬入する過程で光ディスクの上面から離脱することで、装置本体内での光ディスクの回転がフラップによって阻害されることはなく、また光ディスクの上面からのフラップの離脱は、ディスクトレイの搬入過程でフラップを装置本体に係止させて行うので、特別なフラップ移動機構を設ける必要はなく、装置全体の構成を簡単化することができる等の効果を奏する。
【００２４】
また、本発明は、前記フラップが、光ディスクを下方に押圧してディスク中心孔をターンテーブルに係合させる係合案内板と、光ディスクを上方に押圧してディスク中心孔をターンテーブルから離脱させる離脱案内板とを具備するので、例えば係合案内板と離脱案内板を互いにほぼ直交させて一体成形したフラップを用いることで、係合案内板と離脱案内板を光ディスクのディスク中心孔とターンテーブルとの係合或いは離脱に選択的に適用でき、装置全体の構成を簡単化することができる等の効果を奏する。
【図面の簡単な説明】
【図１】本発明の光ディスク装置の一実施形態を示す概略斜視図である。
【図２】図１に示したディスクトレイをディスク駆動位置近傍において示す一部切截側面図である。
【図３】（Ａ）〜（Ｄ）は、それぞれ図１に示した光ディスク装置のディスク搬入動作を説明するための概略側面図である。
【図４】（Ａ）〜（Ｃ）は、それぞれ図１に示した光ディスク装置のディスク搬入動作を説明するための概略平面図である。
【図５】従来の光ディスク装置の一例を示す概略斜視図である。
【図６】図５に示したボールディテント機構の一例を示す平面図である。
【符号の説明】
１１  光ディスク装置
１２  光ディスク
１２ａ  ディスク中心孔
１３  装置本体
１３ａ  トレイ入出用開口部
１３ｂ  ストッパ突起
１４  ディスクトレイ
１４ａ，１７ａ  傘歯車
１５  ターンテーブル
１６  光学ヘッド
１７  揺動アーム
１８  軸受
１９  捩りばね
２０  フラップ
２０ａ  係合案内板
２０ｂ  離脱案内板
２０ｃ  ディスク位置決め用円弧溝
２１  コイルばね
【図１】
0003546772.tif 000002
【図２】
0003546772.tif 000003
【図３】
0003546772.tif 000004
【図４】
0003546772.tif 000005
【図５】
0003546772.tif 000006
【図６】
0003546772.tif 000007